(57)【特許請求の範囲】
【請求項１】
撮影者がファインダーに接近したことを検知する接近検知部と、
操作部材の操作によって撮影条件を設定する撮影条件設定部と、
前記撮影条件設定部によって設定された撮影条件を表示する表示部と、
前記表示部に前記撮影条件の表示を行うかどうかを制御する第１の表示制御部と、
前記撮影条件設定部によって設定された撮影条件を表示する前記ファインダー内に表示するファインダー内表示部と、
前記ファインダー内表示部に前記撮影条件の表示を行うかどうかを制御する第２の表示制御部と、を有し、
前記第１の表示制御部が前記表示部に前記撮影条件の表示を行わないように制御し、前記第２の表示制御部が前記ファインダー内表示部に前記撮影条件の表示を行わないように制御しているときに、前記操作部材が操作された場合には、前記第１の表示制御部または前記第２の表示制御部による前記撮影条件の表示制御に先立って、前記撮影者が前記ファインダーに接近したかどうかを前記接近検知部が検出し、
前記接近検知部が前記撮影者の前記ファインダーへの接近を検知しない場合には、前記第１の表示制御部が前記表示部に前記撮影条件の表示を行うように制御するとともに、前記第２の表示制御部が前記ファインダー内表示部に前記撮影条件の表示を行わないように制御し、
前記接近検知部が前記撮影者の前記ファインダーへの接近を検知する場合には、前記第１の表示制御部が前記表示部に前記撮影条件の表示を行わないように制御するとともに、前記第２の表示制御部が前記ファインダー内表示部に前記撮影条件の表示を行うように制御することを特徴とする撮像装置。
【請求項２】
撮影者がファインダーに接近したことを検知する接近検知部と、
操作部材の操作によって撮影条件を設定する撮影条件設定部と、
前記撮影条件設定部によって設定された撮影条件を表示する表示部と、
前記表示部を点灯または消灯制御する第１の表示制御部と、
前記撮影条件設定部によって設定された撮影条件を表示する前記ファインダー内に表示するファインダー内表示部と、
前記ファインダー内表示部を点灯または消灯制御する第２の表示制御部と、を有し、
前記第１の表示制御部が前記表示部を消灯制御し、前記第２の表示制御部が前記ファインダー内表示部を消灯制御しているときに、前記操作部材が操作された場合には、前記第１の表示制御部または前記第２の表示制御部による前記撮影条件の表示制御に先立って、前記撮影者が前記ファインダーに接近したかどうかを前記接近検知部が検出し、
前記接近検知部が前記撮影者の前記ファインダーへの接近を検知しない場合には、前記第１の表示制御部が前記表示部を点灯制御するとともに、前記第２の表示制御部が前記ファインダー内表示部を消灯制御し、
前記接近検知部が前記撮影者の前記ファインダーへの接近を検知する場合には、前記第１の表示制御部が前記表示部を消灯制御するとともに、前記第２の表示制御部が前記ファインダー内表示部を点灯制御することを特徴とする撮像装置。
【発明の詳細な説明】
【技術分野】
【０００１】
本発明は撮像装置に関し、詳しくは撮影情報を表示するための表示部を有する撮像装置に関するものである。
【背景技術】
【０００２】
デジタルカメラの普及に伴い、バックライトを備えた撮像データや撮影情報を表示するための液晶表示部がカメラ背面に設けられるのが一般的になってきている。ただし一眼レフカメラにおいては、ミラー機構などの関係で撮像データ表示用の液晶表示部に加えて従来からある光学ファインダー機構も必要となる。
【０００３】
液晶表示部と光学ファインダー双方を備えたカメラにおいては、撮影者が液晶表示部を必要としない場合も想定されるため、液晶表示部の表示を点灯、消灯させるための操作部材を設けることで、省電力化を可能にしたり、また光学ファインダーを覗く際に液晶表示部のバックライトが邪魔になるのを防ぐことを可能にしているものも数多く存在する。
【０００４】
また、光学ファインダーを使用していることを検出するための接眼検知機構を設け、接眼検知時には液晶表示部のバックライトを消灯するデジタルカメラが提案されている。（特許文献１参照）
一方、従来は撮像データを表示するための液晶表示部とは別に、カメラのシャッター秒時や絞り値などの撮影情報を表示するための液晶表示部を備えているカメラが一般的であったが、最近では、カメラ本体の小型化やコスト削減などのために、撮像データを表示するための液晶表示部に撮影情報も表示させてしまうことで、液晶表示部を一つにまとめている。
【先行技術文献】
【特許文献】
【０００５】
【特許文献１】特開２０００−１６５７０５号公報
【発明の概要】
【発明が解決しようとする課題】
【０００６】
しかしながら、撮像データを表示するための液晶表示部に撮影情報も表示させてしまうと、省電力などの目的で液晶表示部を消灯した場合は、シャッター秒時や絞り値などの設定値を含む撮影情報はどこにも表示されなくなってしまう。したがって、撮影情報を表示している液晶表示部を消灯したときに、撮影者が不用意にシャッター秒時や絞り値などの設定値を変更するボタンやダイヤルに触れてしまうことが考えられる。この場合には、意図せずシャッター秒時や絞り値などの設定値が変更されてしまい、しかも設定値が変更されていることに気付かない可能性が高い。
【０００７】
本発明は、撮影情報を表示している表示部を消灯したときに、撮影者が不用意にシャッター秒時や絞り値などの設定値を変更するボタンやダイヤルに触れたとしても、撮影条件が変更されることがない撮像装置を提供することを目的とする。
【課題を解決するための手段】
【０００８】
上記の目的を達成させるために、本発明の撮像装置は、撮影者がファインダーに接近したことを検知する接近検知部と、操作部材の操作によって撮影条件を設定する撮影条件設定部と、前記撮影条件設定部によって設定された撮影条件を表示する表示部と、前記表示部に前記撮影条件の表示を行うかどうかを制御する第１の表示制御部と、前記撮影条件設定部によって設定された撮影条件を表示する前記ファインダー内に表示するファインダー内表示部と、前記ファインダー内表示部に前記撮影条件の表示を行うかどうかを制御する第２の表示制御部と、を有し、前記第１の表示制御部が前記表示部に前記撮影条件の表示を行わないように制御し、前記第２の表示制御部が前記ファインダー内表示部に前記撮影条件の表示を行わないように制御しているときに、前記操作部材が操作された場合には、前記第１の表示制御部または前記第２の表示制御部による前記撮影条件の表示制御に先立って、前記撮影者が前記ファインダーに接近したかどうかを前記接近検知部が検出し、前記接近検知部が前記撮影者の前記ファインダーへの接近を検知しない場合には、前記第１の表示制御部が前記表示部に前記撮影条件の表示を行うように制御するとともに、前記第２の表示制御部が前記ファインダー内表示部に前記撮影条件の表示を行わないように制御し、前記接近検知部が前記撮影者の前記ファインダーへの接近を検知する場合には、前記第１の表示制御部が前記表示部に前記撮影条件の表示を行わないように制御するとともに、前記第２の表示制御部が前記ファインダー内表示部に前記撮影条件の表示を行うように制御することを特徴とする。
【０００９】
また、本発明の撮像装置は、撮影者がファインダーに接近したことを検知する接近検知部と、操作部材の操作によって撮影条件を設定する撮影条件設定部と、前記撮影条件設定部によって設定された撮影条件を表示する表示部と、前記表示部を点灯または消灯制御する第１の表示制御部と、前記撮影条件設定部によって設定された撮影条件を表示する前記ファインダー内に表示するファインダー内表示部と、前記ファインダー内表示部を点灯または消灯制御する第２の表示制御部と、を有し、前記第１の表示制御部が前記表示部を消灯制御し、前記第２の表示制御部が前記ファインダー内表示部を消灯制御しているときに、前記操作部材が操作された場合には、前記第１の表示制御部または前記第２の表示制御部による前記撮影条件の表示制御に先立って、前記撮影者が前記ファインダーに接近したかどうかを前記接近検知部が検出し、前記接近検知部が前記撮影者の前記ファインダーへの接近を検知しない場合には、前記第１の表示制御部が前記表示部を点灯制御するとともに、前記第２の表示制御部が前記ファインダー内表示部を消灯制御し、前記接近検知部が前記撮影者の前記ファインダーへの接近を検知する場合には、前記第１の表示制御部が前記表示部を消灯制御するとともに、前記第２の表示制御部が前記ファインダー内表示部を点灯制御することを特徴とする。
【発明の効果】
【００１０】
本発明によって、撮影者が確認することができない状態で撮影条件が変更されることがないので、使い勝手の良い撮像装置を提供することができる。
【図面の簡単な説明】
【００１１】
【図１】一眼レフデジタルカメラのブロック図である。
【図２】画像表示部２８およびファインダー内表示部５４の表示を説明する図である。
【図３】画像表示部２８の表示状態遷移を説明する図である。
【図４】画像表示部２８およびファインダー内表示部５４の表示状態と設定操作の受付を説明する表である。
【図５】設定値変更操作に関するフローチャートである。
【図６】ファインダー内情報表示に関するフローチャートである。
【図７】設定値変更操作時の表示操作に関するフローチャートである。
【発明を実施するための形態】
【００１２】
（第１の実施の形態）
以下、図面を参照して本発明の第１の実施の形態である一眼レフデジタルカメラを説明する。
【００１３】
図１において、１００はカメラボディである。
【００１４】
１２は撮像素子１３への露光量を制御するためのシャッター、１３は光学像を電気信号に変換する撮像素子である。レンズ３１０に入射した光線は、一眼レフ方式によって、絞り３１２、レンズマウント３０６及び１０６、ミラー１３０、シャッター１２を介して導き、光学像として撮像素子１３上に結像することが出来る。
【００１５】
１６は撮像素子１３のアナログ信号出力をデジタル信号に変換するＡ／Ｄ変換器である。１８は撮像素子１３、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。
【００１６】
また、画像処理回路２０においては、必要に応じて、撮像した画像データを用いて所定の演算処理を行い、得られた演算結果に基づいてシステム制御回路５０がシャッター制御手段４０、測距制御手段４２に対して制御を行う、ＴＴＬ（Ｔｈｒｏｕｇｈ  Ｔｈｅ  Ｌｅｎｓ）方式のＡＦ（オートフォーカス）処理、ＡＥ（自動露出）処理、ＥＦ（フラッシュ調光）処理を行うことが出来る。
【００１７】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１８】
なお、本実施例においては、測距手段４２及び測光手段４６を専用に備える構成としたため、測距手段４２及び測光手段４６を用いてＡＦ処理、ＡＥ処理、ＥＦ処理の各処理を行い、上記画像処理回路２０を用いたＡＦ処理、ＡＥ処理、ＥＦ処理の各処理を行わない構成としても良い。或いは、測距手段４２及び測光手段４６を用いてＡＦ処理、ＡＥ処理、ＥＦ処理の各処理を行い、さらに、上記画像処理回路２０を用いたＡＦ処理、ＡＥ処理、ＥＦ処理の各処理を行う構成としても良い。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２０】
２４は画像表示メモリ、２６はＤ／Ａ変換器、２８はＴＦＴ、ＬＣＤ等から成る画像表示部であり、画像表示メモリ２４に書き込まれた表示用の画像データはＤ／Ａ変換器２６を介して画像表示部２８により表示される。
【００２１】
３０は撮影した静止画像を格納するためのメモリであり、所定枚数の静止画像を格納するのに十分な記憶量を備えている。これにより、複数枚の静止画像を連続して撮影する連写撮影の場合にも、高速かつ大量の画像書き込みをメモリ３０に対して行うことが可能となる。また、メモリ３０はシステム制御回路５０の作業領域としても使用することが可能である。
【００２２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２３】
４０は測光手段４６からの測光情報に基づいて、絞り３１２を制御する絞り制御手段３４０と連携しながら、シャッター１２を制御するシャッター制御手段である。
【００２４】
４２はＡＦ処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００２５】
４６はＡＥ処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。また、測光手段４６は、フラッシュ４８と連携することによりＥＦ処理機能も有するものである。
【００２６】
４８はフラッシュであり、ＡＦ補助光の投光機能、フラッシュ調光機能も有する。さらに、測距手段４２による測定結果と、撮像素子１３によって撮像した画像データを画像処理回路２０によって演算した演算結果とを共に用いてＡＦ制御を行っても構わない。そして、測光手段４６による測定結果と、撮像素子１３によって撮像した画像データを画像処理回路２０によって演算した演算結果とを共に用いて露出制御を行っても構わない。
【００２７】
４７は光学ファインダー１０４の接眼レンズ近傍に配置される接眼検知ユニットであり、接眼状態にあるかどうか、つまり、撮影者が光学ファインダー１０４を使用しているかどうかを検知する検知手段として機能するものである。一対の発光素子と受光素子を備え、発光素子の出力するパルス光を撮影者の眼、もしくは顔で反射させ、受光素子で受光することで接眼状態を検知する構成などが考えられるが、具体的な回路構成を限定するものではない。また検出方法に関しても特に限定するものではない。
【００２８】
５０は画像処理装置１００全体を制御するシステム制御回路、５２はシステム制御回路５０の動作用の定数、変数、プログラム等を記憶するメモリである。システム制御回路５０はプログラムの実行に応じて、文字、画像等を用いて動作状態やメッセージ等を画像表示部２８や光学ファインダー１０４内に設置されているファインダー内表示部５４に表示する。
【００２９】
画像表示部２８に表示するものとしては、例えば、単写／連写撮影表示、セルフタイマー表示、圧縮率表示、記録画素数表示、記録枚数表示、残撮影可能枚数表示、シャッタースピード表示、絞り値表示、露出補正表示、調光補正表示、外部ストロボ発光量表示、赤目緩和表示、ブザー設定表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００３０】
また、光学ファインダー１０４内のファインダー内表示部５４に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００３１】
５６は電気的に消去・記録可能な不揮発性メモリであり、例えばＥＥＰＲＯＭ等が用いられる。６０、６２、６４、６６、６８及び７０は、システム制御回路５０の各種の動作指示を入力するための操作手段であり、スイッチやダイアル等の単数或いは複数の組み合わせで構成される。
【００３２】
ここで、これらの操作手段の具体的な説明を行う。６０はモードダイアルスイッチで、自動撮影モード、プログラム撮影モード、シャッター速度優先撮影モード、絞り優先撮影モード、マニュアル撮影モード、焦点深度優先（ＤＥＰ）撮影モード、ポートレート撮影モード、風景撮影モード、接写撮影モード、スポーツ撮影モード、夜景撮影モード等の各機能撮影モードを切り替え設定することが出来る。
【００３３】
６２はシャッタースイッチＳＷ１で、不図示のシャッターボタンの操作途中でＯＮとなり、ＡＦ処理、ＡＥ処理、ＡＷＢ処理、ＥＦ処理等の動作開始を指示する。６４はシャッタースイッチＳＷ２で、不図示のシャッターボタンの操作完了でＯＮとなり、撮像素子１３から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３４】
６６は再生スイッチで、撮影モード状態において、撮影した画像をメモリ３０或いは記録媒体２００或いは２１０から読み出して画像表示部２８によって表示する再生動作の開始を指示する。
【００３５】
６８は画像表示部２８を点灯するか消灯するかの設定を行う表示制御スイッチである。
【００３６】
７０は各種ボタンやタッチパネル等からなる操作部で、メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、調光補正ボタン、外部ストロボ発光量設定ボタン、日付／時間設定ボタン、撮影直後に撮影した画像データを自動再生するクイックレビュー機能を設定するクイックレビューＯＮ／ＯＦＦスイッチ、画像のＪ圧縮率を選択するための圧縮モードスイッチ、再生モード、マルチ画面再生・消去モード、ＰＣ接続モード等の各機能モードを設定することが出来る再生スイッチ、ＡＦモード設定スイッチ等がある。また、上記プラスボタン及びマイナスボタンの各機能は、回転ダイアルスイッチを備えることによって、より軽快に数値や機能を選択することが可能となる。
【００３７】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。
【００３８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３９】
８２はコネクタ、８６はアルカリ電池やリチウム電池等の一次電池やＮｉＣｄ電池、Ｌｉ電池等の二次電池、ＡＣアダプター等からなる電源手段である。
【００４０】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４１】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００４２】
さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、等の各種通信カードを接続することにより、他のコンピュータやプリンタ等の周辺機器との間で画像データや画像データに付属した管理情報を転送し合うことが出来る。
【００４３】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダー機能を使用すること無しに、光学ファインダ１０４のみを用いて撮影を行うことが可能である。また、光学ファインダー１０４内には、ファインダー内表示部５４が配置される。したがって、合焦表示、手振れ警告表示、フラッシュ充電表示、シャッタースピード表示、絞り値表示、露出補正表示などを光学ファインダー内に表示することができる。
【００４４】
１１２は、アクセサリシュー１１０を介して装着される、外部ストロボ装置である。
【００４５】
１２０は、レンズマウント１０６内において、画像処理装置１００をレンズユニット３００と接続するためのインターフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。
【００４６】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００４７】
１３０、１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００４８】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００４９】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００５０】
３００は交換レンズタイプのレンズユニットである。３０６は、レンズユニット３００を画像処理装置１００と機械的に結合するレンズマウントである。レンズマウント３０６内には、レンズユニット３００を画像処理装置１００と電気的に接続する各種機能が含まれている。３１０は撮影レンズ、３１２は絞りである。３２０は、レンズマウント３０６内において、レンズユニット３００を画像処理装置１００と接続するためのインタフェース、３２２はレンズユニット３００を画像処理装置１００と電気的に接続するコネクタである。
【００５１】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００５２】
３４０は測光手段４６からの測光情報に基づいて、シャッター１２を制御するシャッター制御手段４０と連携しながら、絞り３１２を制御する絞り制御手段である。
【００５３】
３４２は撮影レンズ３１０のフォーカシングを制御する測距制御手段、３４４は撮影レンズ３１０のズーミングを制御するズーム制御手段である。
【００５４】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００５５】
ここで、画像表示部２８およびファインダー内表示部５４の表示内容と、接眼検知ユニット４７および表示制御スイッチ６８の状態との関係について説明する。画像表示部２８およびファインダー内表示部５４の設定情報表示の表示例を図２に示す。また、図３は、接眼検知ユニット４７の状態、表示制御スイッチ６８の操作、再生スイッチ６６の操作による画像表示部２８の表示状態遷移を説明する図である。前述のように画像表示部２８には撮影画像や各種情報表示が表示可能になっている。通常の撮影待機状態では画像表示部２８にはシャッタースピード表示、絞り値表示、露出補正表示などの設定値情報が表示されている。この状態で再生スイッチ６６が操作された場合には、画像表示部２８は設定情報表示を取りやめて記録画像を表示する。画像表示部２８に記録画像が表示されている状態で、再び再生スイッチ６６が操作されると、もとの設定情報表示にもどる。
【００５６】
一方、撮影レスポンスを落とすことなく、電力消費を抑えたい場合など、電源スイッチ７２で画像処理装置の電源を切ることなく、画像表示部２８の設定情報表示を消灯したい場合は、表示制御スイッチ６８を操作することで画像表示部２８の設定情報表示を消灯することが出来る。消灯している状態で再び表示制御スイッチ６８を操作すると、画像表示部２８が点灯して、もとの設定情報表示に戻る。
【００５７】
また、画像表示部２８に設定情報を表示している場合に、撮影者が光学ファインダー１０４を覗いていることを接眼検知ユニット４７が接眼を検出した場合には、撮影の邪魔にならぬよう画像表示部２８の表示を消灯する。撮影者が光学ファインダー１０４を覗くのをやめると、接眼検知ユニット４７が接眼を検出しなくなり、画像表示部２８の表示を点灯する。ここでは画像表示部２８を消灯する例を説明しているが、画像表示部２８にバックライトが備えられている場合には、バックライトのみを消灯もしくは輝度を落とすよう制御しても良い。
【００５８】
また、６２のシャッタースイッチＳＷ１が操作され測光が開始されると、画像表示部２８の設定情報表示に測光結果が反映される。このとき光学ファインダー１０４内のファインダー内表示部５４にも測光結果の情報が表示される。通常、測光していない場合はファインダー内表示部５４は消灯している。
【００５９】
図４は、表示制御スイッチ６８、接眼検知４７、測光の各種状態と、画像表示部２８およびファインダー内表示部５４の表示状態、シャッタースピード、絞り値、露出補正値などに代表される各種設定操作の受付状態を示す表である。
【００６０】
操作部７０によりシャッタースピード、絞り値、露出補正値の変更操作がなされた場合に、表示制御スイッチ６８により画像表示部２８が消灯されている場合のみ、設定変更操作を受け付けないよう動作する。
【００６１】
この動作を示すフローチャートを図５に示す。ステップＳ５００で設定操作を受け付けるとステップＳ５０１に進み、表示制御スイッチ６８により画像表示部２８が消灯されているかどうかを判断する。ステップＳ５０１で表示制御スイッチ６８により画像表示部２８が消灯されていないと判断されれば、ステップＳ５０２で設定値の変更をおこなう。
【００６２】
ステップＳ５０１で表示制御スイッチ６８により画像表示部２８が消灯されていると判断されれば、ステップＳ５０３へ進みファインダー内表示部５４が点灯されているか否かの判定を行う。ステップＳ５０３でファインダー内表示部５４が点灯中であると判断されればステップＳ５０２へ進み設定値の変更をおこなう。ステップＳ５０３で点灯中でないと判断されれば設定値の変更はおこなわない。
【００６３】
図６はファインダー内表示部５４の表示制御を表すフローチャートである。ステップＳ６００で６２のシャッタースイッチＳＷ１操作を検出するとステップＳ６０１へ進む。
【００６４】
ステップＳ６０１では測光、測距動作を開始する。ステップＳ６０２ではファインダー内表示部５４を点灯し、測光中の表示を開始する。ステップＳ６０３へ進みシャッタースイッチＳＷ２を検出するとステップＳ６０４へ進みファインダー内表示部５４を消灯し、ステップＳ６０５のレリーズ処理に移る。
【００６５】
ステップＳ６０３でシャッタースイッチＳＷ２を検出しなかった場合はステップＳ６０６に進みシャッタースイッチＳＷ１のオフを判定する。ステップＳ６０６でシャッタースイッチＳＷ１のオフを判定した場合はステップＳ６０７で測距動作を停止する。ステップＳ６０８へ進み測光タイマの計測を開始する。
【００６６】
ステップ６０６でシャッタースイッチＳＷ１のオフを検出しなかった場合はステップ６０３へもどる。ステップ６０８で測光タイマの計測を開始した後は、ステップ６０９で測光タイマの計測が完了するか、ステップ６１０で再びシャッタースイッチＳＷ１オンが検出されるまでステップ６０９から６１０を繰り返す。
【００６７】
ステップ６０９で測光タイマの計測が完了した場合にはステップ６１１へ進みファインダー内表示部５４を消灯し、ステップ６１２で測光動作を終了する。ステップ６１０で再びシャッタースイッチＳＷ１オンされた場合にはステップ６０１へ戻る。
【００６８】
以上の動作により測光中はファインダー内表示部５４に設定情報および測光情報が表示され、測光停止時にはファインダー内表示部５４が消灯される。
【００６９】
このように動作させることにより、撮影者が意図して行った設定値変更操作は受け付けるようにし、意図せず行ったと思われる設定値変更操作は受け付けないようにし、誤操作を防止することが出来る。
【００７０】
本実施形態では表示制御スイッチもしくは接眼検知によって設定情報表示を消灯する例を示したが、消灯条件に関しては特に限定するものではない。表示部が点灯していても設定情報表示がされていなければ、従来の問題を解決していることにはならない。したがって、表示部そのもののは点灯消灯ではなく、設定情報表示を表示しているかどうかであっても同様である。
【００７１】
また条件は２つに限定されるものでもなく複数の条件により設定情報表示が消灯する構成で、その条件の組み合わせにより設定変更操作の受付可否を判定するよう構成しても構わない。また、設定変更操作の対象はシャッタースピード、絞り値、露出補正値に限定されるものではない。
【００７２】
本実施形態のカメラは、各種設定値などの撮影情報や撮像データを表示する液晶表示部を操作部材の操作によって消灯する場合と、カメラが状態を判断して消灯する場合がある。そして、操作部材の操作によって消灯された場合には撮影条件などの設定変更を禁止している。これによって、撮影者の不用意な操作による設定値変更を防止している。例えば、接眼検知によりカメラ背面の液晶表示部を消灯した場合にはシャッター秒時、絞り値、露出補正値などの設定変更操作の受付は許可し続ける。しかし、背面液晶表示消灯のための操作部材の操作により背面液晶表示を消灯している場合はシャッター秒時、絞り値、露出補正値などの設定変更操作の受付を禁止する。これにより、撮影者が意図して行った設定値変更操作は受け付けるようにし、意図せず行ったと思われる設定値変更操作は受け付けないようにし、誤操作を防止することが出来る。
【００７３】
なお、接眼検知ユニット４７が機能していない場合には、画像表示部２８の状態に関係なく、ファインダー内表示部５４にて情報表示がなされている場合にのみ、前記設定操作の受付を許可するよう構成しても良い。
【００７４】
（第２の実施形態）
次に、本発明の第２の実施形態である一眼レフデジタルカメラについて説明する。全体の構成は図１にて説明したものと同様であるので、説明を省略する。
【００７５】
図７は画像表示部２８が消灯状態である場合に、設定変更操作がおこなわれた場合のフローチャートである。
【００７６】
ステップＳ７０１で操作部７０によりシャッタースピード、絞り値、露出補正値の変更操作が検出されるとステップＳ７０２へ進み接眼検知結果を確認する。ステップＳ７０２で撮影者がファインダーを覗いていることが確認されるとステップＳ７０３へ進み、ファインダー内表示部５４の表示状態を判定する。
【００７７】
ステップＳ７０３でファインダー内表示部５４が既に点灯状態であればステップＳ７０９へ進み、消灯状態であればステップＳ７０４へ進みファインダー内表示部５４を点灯し設定操作による設定値変更結果を表示するための準備をおこなう。
【００７８】
その後ステップＳ７０５へ進み表示消灯タイマを開始する。ステップＳ７０２で撮影者がファインダーを覗いていないと判断した場合は、ステップＳ７０６へ進み、表示制御スイッチ６８により画像表示部２８が消灯されているかどうか判定する。表示制御スイッチ６８により画像表示部２８が消灯されている場合にはステップＳ７０７へ進み画像表示部２８を点灯し、設定操作による設定値変更結果を表示するための準備をおこなう。
【００７９】
その後ステップＳ７０８へ進み表示消灯タイマを開始する。ステップＳ７０６で画像表示部２８が既に点灯していた場合にはそのままステップＳ７０９へ進む。ステップＳ７０９ではステップＳ７０１で検出した設定値変更操作を確定し、設定値の変更をおこなう。
【００８０】
ステップＳ７１０では表示消灯タイマが開始されていればステップＳ７１１へ進み、ステップＳ７１１ではタイマ終了を待って、ステップＳ７０４もしくはステップＳ７０７で点灯した表示部を消灯する。
【００８１】
以上の動作により、撮影者が省電力のため画像表示部の表示もしくはバックライトを消灯していたり、撮影者が光学ファインダーを覗いているために画像処理装置背面の画像表示部の表示もしくはバックライトが邪魔にならないよう自動的に消灯しているような場合に、省電力設定を無効にしたり、突然背面表示部の表示が点灯して撮影者の邪魔になることなく、設定操作の操作性を向上することが出来る。また、不用意な操作による誤設定がなされた場合にも、撮影者が誤操作に気付くことができる。
【００８２】
本実施形態では、接眼検知もしくは表示制御スイッチにより画像表示部が消灯している場合の例を示したが、画像表示部の消灯条件や条件の数に関しては特に限定するものではなく、第３、第４の消灯条件を設けて、設定操作がなされた場合にそれぞれの消灯条件に応じて画像表示部を点灯させるかどうか判断すればよい。
【００８３】
本実施形態のカメラは、シャッター秒時、絞り値、露出補正値などの設定操作を受け付けると、撮影者が接眼してるかどうかを検知する。このとき撮影者が接眼している場合には、ファインダー内表示部５４を所定時間表示し、撮影者が接眼していない場合には、画像表示部２８を所定時間表示する。これにより、もし誤って操作した場合に、撮影者自らがご操作に気付くことが出来る。
【符号の説明】
【００８４】
２８  画像表示部
４７  接眼検知ユニット
５０  システム制御部
５４  ファインダー内表示部
６８  表示制御スイッチ
７０  操作部
１０４  光学ファインダ
【図１】
0005465267.tif 000002
【図２】
0005465267.tif 000003
【図４】
0005465267.tif 000004
【図５】
0005465267.tif 000005
【図６】
0005465267.tif 000006
【図７】
0005465267.tif 000007
【図３】
0005465267.tif 000008